(57)【特許請求の範囲】
【請求項１】
インプレッション保証型の広告コンテンツと時間課金型の広告コンテンツとを格納する広告コンテンツ格納手段と、
広告表示に対するユーザの行動履歴を格納する行動履歴格納手段と、
前記行動履歴格納手段の格納した行動履歴に基づき、ユーザ毎の広告を含むページの予想表示時間を算出する予想表示時間算出手段と、
ユーザの端末装置からページ閲覧要求を受け付けた場合に、前記広告コンテンツ格納手段の格納したインプレッション保証型の広告コンテンツと時間課金型の広告コンテンツの中から配信する広告コンテンツを決定する広告コンテンツ決定手段と、
前記広告コンテンツ決定手段の決定した広告コンテンツを前記ページ閲覧要求を行ったユーザの閲覧するページに含まれる広告枠に配信する広告コンテンツ配信手段と
を備え、
前記広告コンテンツ決定手段は、ユーザの前記端末装置からページ閲覧要求を受け付けた場合に、前記予想表示時間算出手段の算出した当該ユーザの予想表示時間に基づいて、インプレッション保証型の広告コンテンツと時間課金型の広告コンテンツの中から配信する広告コンテンツを決定する
ことを特徴とする広告情報提供装置。
【請求項２】
請求項１に記載の広告情報提供装置において、
前記広告枠毎に累積課金額を管理する手段
を更に備え、
前記広告コンテンツ決定手段は、前記累積課金額が所定値を超えるまでは前記広告枠に配信する広告コンテンツとしてインプレッション保証型の広告コンテンツに決定し、前記累積課金額が所定値を超えた後は前記予想表示時間算出手段の算出した当該ユーザの予想表示時間に基づいて、インプレッション保証型の広告コンテンツと時間課金型の広告コンテンツの中から配信する広告コンテンツを決定する
ことを特徴とする広告情報提供装置。
【請求項３】
広告情報提供装置が実行する方法であって、
インプレッション保証型の広告コンテンツと時間課金型の広告コンテンツとを格納する広告コンテンツ格納工程と、
広告表示に対するユーザの行動履歴を格納する行動履歴格納工程と、
前記行動履歴格納工程で格納した行動履歴に基づき、ユーザ毎の広告を含むページの予想表示時間を算出する予想表示時間算出工程と、
ユーザの端末装置からページ閲覧要求を受け付けた場合に、前記広告コンテンツ格納工程で格納したインプレッション保証型の広告コンテンツと時間課金型の広告コンテンツの中から配信する広告コンテンツを決定する広告コンテンツ決定工程と、
前記広告コンテンツ決定工程で決定した広告コンテンツを前記ページ閲覧要求を行ったユーザの閲覧するページに含まれる広告枠に配信する広告コンテンツ配信工程と
を備え、
前記広告コンテンツ決定工程は、ユーザの前記端末装置からページ閲覧要求を受け付けた場合に、前記予想表示時間算出工程で算出した当該ユーザの予想表示時間に基づいて、インプレッション保証型の広告コンテンツと時間課金型の広告コンテンツの中から配信する広告コンテンツを決定する
ことを特徴とする広告情報提供方法。
【発明の詳細な説明】
【技術分野】
【０００１】
本発明は、ネットワークを介して広告情報を提供する技術に関する。
【背景技術】
【０００２】
ネットワークを介して提供する広告には課金の仕方がいくつか存在し、例えば、インプレッション保証型と時間課金型とがある。
【０００３】
インプレッション保証型は、広告主に対して所定の期間内に所定のインプレッション数（提示数）の広告提示を保証し、それが履行されることを条件に一括で課金が行われるものである。
【０００４】
時間課金型は、広告の表示時間（当該広告が含まれるページの画面が表示されてから他の画面に遷移したり閉じられたりするまでの時間）に応じて課金が行われるものであり、表示時間に対して直線状もしくは曲線状に連動して課金額が上昇するものや、所定時間を超えるまでは課金ゼロで、所定時間を超えた場合に課金されるものや、これらを併用したもの等がある。
【０００５】
通常、インプレッション保証型はインプレッション数が多いため広告提示１回あたりの課金額は少額であるが、時間課金型において表示が所定時間を超えた場合の課金額は、インプレッション保証型の広告提示１回あたりの課金額よりも大幅に高い値とされている。
【０００６】
従来、ページ上に設けられる広告枠は、課金のタイプが固定とされており、インプレッション保証型の広告枠にはインプレッション保証型の広告のみを表示し、時間課金型の広告枠には時間課金型の広告のみを表示していた。
【０００７】
なお、出願人は出願時点までに本発明に関連する公開された先行技術文献を発見することができなかった。よって、先行技術文献情報を開示していない。
【発明の概要】
【発明が解決しようとする課題】
【０００８】
上述したように、従来は広告枠によって課金のタイプが固定とされていたため、インプレッション保証型の広告枠は広告提示数を稼ぐことでしか利用されず、その広告枠に課金額の大きい時間課金型の広告を提示することは不可能であり、収益を拡大することに限界があった。
【０００９】
本発明は上記の従来の問題点に鑑み提案されたものであり、その目的とするところは、インプレッション保証型の広告コンテンツと時間課金型の広告コンテンツとを混在して配信することで収益の拡大を図ることにある。
【課題を解決するための手段】
【００１０】
上記の課題を解決するため、本発明にあっては、インプレッション保証型の広告コンテンツと時間課金型の広告コンテンツとを格納する広告コンテンツ格納手段と、広告表示に対するユーザの行動履歴を格納する行動履歴格納手段と、前記行動履歴格納手段の格納した行動履歴に基づき、ユーザ毎の広告を含むページの予想表示時間を算出する予想表示時間算出手段と、ユーザの端末装置からページ閲覧要求を受け付けた場合に、前記広告コンテンツ格納手段の格納したインプレッション保証型の広告コンテンツと時間課金型の広告コンテンツの中から配信する広告コンテンツを決定する広告コンテンツ決定手段と、前記広告コンテンツ決定手段の決定した広告コンテンツを前記ページ閲覧要求を行ったユーザの閲覧するページに含まれる広告枠に配信する広告コンテンツ配信手段とを備え、前記広告コンテンツ決定手段は、ユーザの前記端末装置からページ閲覧要求を受け付けた場合に、前記予想表示時間算出手段の算出した当該ユーザの予想表示時間に基づいて、インプレッション保証型の広告コンテンツと時間課金型の広告コンテンツの中から配信する広告コンテンツを決定するようにしている。
【発明の効果】
【００１１】
本発明にあっては、インプレッション保証型の広告コンテンツと時間課金型の広告コンテンツとを混在して配信することで収益の拡大を図ることができる。
【図面の簡単な説明】
【００１２】
【図１】本発明の一実施形態にかかるシステムの構成例を示す図である。
【図２】広告ＤＢのデータ構造例を示す図である。
【図３】行動履歴ＤＢのデータ構造例を示す図である。
【図４】広告枠ＤＢのデータ構造例を示す図である。
【図５】実施形態の処理例を示すシーケンス図（その１）である。
【図６】実施形態の処理例を示すシーケンス図（その２）である。
【発明を実施するための形態】
【００１３】
以下、本発明の好適な実施形態につき説明する。
【００１４】
＜構成＞
図１は本発明の一実施形態にかかるシステムの構成例を示す図である。
【００１５】
図１において、インターネット等のネットワーク１には、ユーザが操作するスマートフォン、携帯電話、ＰＣ（Personal Computer）等の端末装置２が複数接続されている。端末装置２は、一般的なブラウザ（Ｗｅｂブラウザ）２１を備えている。ブラウザ２１は、インターネットの標準プロトコルであるＨＴＴＰ（Hyper Text Transfer Protocol）等に従い、ＨＴＭＬ（Hyper Text Markup Language）等の言語で記述されたページデータの要求・取得・表示およびフォームデータの送信等を行う機能を有している。
【００１６】
また、ネットワーク１には端末装置２からの要求に応じてページ情報および広告情報を提供するページ情報／広告情報提供装置３が接続されている。
【００１７】
ページ情報／広告情報提供装置３は、機能部として、広告コンテンツ格納部３０１と行動履歴格納部３０２と予想表示時間算出部３０３と広告枠累積課金額管理部３０４とページ要求受付部３０５とページ情報生成部３０６と広告コンテンツタイプ決定部３０７と広告コンテンツ決定部３０８と広告リンク埋込部３０９とページ送信部３１０と広告要求受付部３１１と広告送信部３１２とを備えている。
【００１８】
これらの機能部は、ページ情報／広告情報提供装置３を構成するコンピュータのＣＰＵ（Central Processing Unit）、ＲＯＭ（Read Only Memory）、ＲＡＭ（Random Access Memory）等のハードウェア資源上で実行されるコンピュータプログラムによって実現されるものである。これらの機能部は、単一のコンピュータ上に配置される必要はなく、必要に応じて分散される形態であってもよい。
【００１９】
また、ページ情報／広告情報提供装置３が利用するデータベースとして、広告ＤＢ３２１と行動履歴ＤＢ３２２と広告枠ＤＢ３２３とが設けられている。これらのデータベースは、ページ情報／広告情報提供装置３を構成するコンピュータ内のＨＤＤ（Hard Disk Drive）等の記憶媒体上に所定のデータを体系的に保持するものである。なお、広告ＤＢ３２１や行動履歴ＤＢ３２２や広告枠ＤＢ３２３は、ページ情報／広告情報提供装置３内に配置される必要はなく、他の装置上に配置してもよい。また、広告コンテンツには後述するようにインプレッション保証型と時間課金型とがあり、両者は一般的に入稿形態が異なるため、広告ＤＢ３２１は広告コンテンツの型に応じて分かれていてもよい。
【００２０】
図２は広告ＤＢ３２１のデータ構造例を示す図であり、「広告ＩＤ」「タイプ」「コンテンツデータ」「課金単価」等の項目（フィールド）を含んでいる。「広告ＩＤ」は、広告コンテンツを特定する情報である。「タイプ」は、広告コンテンツの種別、ここではインプレッション保証型であるか時間課金型であるかを示す情報である。「コンテンツデータ」は、広告コンテンツのデータ本体もしくは保存場所へのリンク情報である。「課金単価」は、インプレッション保証型の場合は１回の表示あたりの課金額であり、時間課金型の場合は１回の表示において表示時間に応じて設定された課金額（例えば、表示時間に直線状もしくは曲線状に連動した課金額、所定時間を超えるまでは課金ゼロで、所定時間を超えた場合に所定値となる課金額、これらを併用した課金額等）である。
【００２１】
図３は行動履歴ＤＢ３２２のデータ構造例を示す図であり、「ユーザＩＤ」「行動履歴データ」「予想表示時間」等の項目を含んでいる。「ユーザＩＤ」は、ユーザを特定する情報であり、ユーザを詳細に特定できる会員ＩＤのほか、同じブラウザからのアクセスであることを特定できるbcookie（初回のアクセス時にブラウザのクッキー情報として書き込み、以後のアクセス時に参照）等を含む。「行動履歴データ」は、当該ユーザによる閲覧の履歴（対象となる広告コンテンツと日時情報を含む）である。「予想表示時間」は、「行動履歴データ」に基づいて算出される、当該ユーザにより広告コンテンツの含まれるページが表示されることが予想される時間である。なお、後述するように、広告コンテンツの含まれるページの内容（カテゴリ）も考慮して予想表示時間を算出する場合には、対応するカテゴリも特定して記録される。また、行動履歴ＤＢ３２２は、ユーザ毎のデータとは別に、全ユーザについての予想表示時間（カテゴリを考慮する場合を含む）を保持することができる。
【００２２】
図４は広告枠ＤＢ３２３のデータ構造例を示す図であり、「広告枠ＩＤ」「広告枠累積課金額」等の項目を含んでいる。「広告枠ＩＤ」は、広告枠を特定する情報である。「広告枠累積課金額」は、当該広告枠に表示した広告コンテンツにより課金される額の累計値である。例えば、インプレッション保証型の広告コンテンツでは表示１回につき広告ＤＢ３２１の課金単価が加算される。時間課金型の広告コンテンツでは表示時間に応じて広告ＤＢ３２１の課金単価が加算される。
【００２３】
図１に戻り、ページ情報／広告情報提供装置３の広告コンテンツ格納部３０１は、所定のタイミングで、広告主から提供される広告コンテンツにつき、広告ＩＤとタイプとコンテンツデータとを広告ＤＢ３２１に格納する機能を有している。
【００２４】
行動履歴格納部３０２は、端末装置２のブラウザ２１によるユーザの閲覧の行動を監視し、行動履歴ＤＢ３２２にユーザＩＤと対応付けて行動履歴データを格納する機能を有している。
【００２５】
予想表示時間算出部３０３は、定期的もしくは所定のタイミング（例えば、予想表示時間が必要とされる時点等）で、行動履歴ＤＢ３２２を参照し、ユーザ毎に行動履歴データに基づき予想表示時間を算出して行動履歴ＤＢ３２２に格納する機能を有している。予想表示時間は、例えば、当該ユーザの行動履歴から抽出した１ページあたりの表示時間の分布から統計処理（単に平均値を算出して予想表示時間としたり、偏差を考慮した所定の信頼性を期待できる表示時間を算出して予想表示時間とする等）により求めることができる。
【００２６】
また、当該ユーザについての予想表示時間に代えて、もしくは当該ユーザについての予想表示時間とともに、全ユーザについての予想表示時間を算出し、それをもって最終的な予想表示時間とすることができる。全ユーザについての予想表示時間は、例えば、全ユーザについてのそれぞれの予想表示時間から統計処理により求める。当該ユーザについての予想表示時間と全ユーザについての予想表示時間を考慮する場合、例えば、それぞれの予想表示時間の平均を最終的な予想表示時間とする。
【００２７】
更に、当該ユーザについての予想表示時間と全ユーザについての予想表示時間の両者もしくは一方について、閲覧するページのカテゴリ（１つのページに複数のカテゴリが含まれる場合を含む）について限定した予想表示時間とすることができる。この場合、行動履歴の参照に際して、閲覧したページのカテゴリ毎に表示時間を抽出し、統計処理を行う。
【００２８】
例えば、ユーザＡの予想表示時間が、
カテゴリ：車関係→６０秒
カテゴリ：政治関係→１５秒
カテゴリ：芸能ネタ関係→３０秒
であったとし、ページＢの内容が、芸能人が新車紹介のイベントに参加するというものであって、ページＢに出現する特徴語の割合から、
車関係→３０％
芸能ネタ関係→７０％
であったとする。
【００２９】
この場合、ユーザＡのページＢに対する予想表示時間は、
６０×０．３＋３０×０．７＝３９秒
となる。
【００３０】
また、ページＢに対する予想表示時間が５０秒と算出されたとして、当該ユーザについての予想表示時間と全ユーザについての予想表示時間を考慮する場合には、
（３９＋５０）÷２＝４４．５秒
となる。
【００３１】
広告枠累積課金額管理部３０４は、広告枠への広告コンテンツの表示および表示時間を監視し、広告コンテンツ毎に広告枠ＤＢ３２３の広告枠累積課金額を更新する機能を有している。
【００３２】
ページ要求受付部３０５は、端末装置２のブラウザ２１からページ閲覧要求を受け付ける機能を有している。
【００３３】
ページ情報生成部３０６は、受け付けたページ閲覧要求に対応するページ情報を生成する機能を有している。生成するページには広告枠が含まれている。
【００３４】
広告コンテンツタイプ決定部３０７は、端末装置２のブラウザ２１からページ閲覧要求を受け付けた場合に、インプレッション保証型の広告コンテンツと時間課金型の広告コンテンツのいずれのタイプの広告コンテンツを配信するかを決定する機能を有している。例えば、予想表示時間が所定の閾値を超えない場合は表示時間が短く時間課金型に向いていない可能性が高いため、表示するだけで課金できるインプレッション保証型に決定し、予想表示時間が所定の閾値を超える場合は高額の課金が期待できる時間課金型に決定する。
【００３５】
また、広告コンテンツタイプ決定部３０７は、ページの広告枠の広告コンテンツを所定時間（例えば、２０秒）で更新する場合には、予想表示時間に応じて複数の連続する広告コンテンツのタイプを決定する。この場合、順次に更新されていく広告コンテンツが同じタイプに制限される場合と、制限されない場合とがある。例えば、更新周期が２０秒で、予想表示時間が４４．５秒であるとすると、同じタイプに制限される場合、最初の２０秒を時間課金型、次の２０秒を時間課金型、最後の４．５秒を時間課金型に決定する。また、同じタイプに制限されない場合、最初の２０秒を時間課金型、次の２０秒を時間課金型、最後の４．５秒をインプレッション保証型に決定する。
【００３６】
広告コンテンツ決定部３０８は、広告コンテンツタイプ決定部３０７の決定したタイプの広告コンテンツを広告ＤＢ３２１に格納された広告コンテンツの中から決定する機能を有している。広告コンテンツの決定は、決定したタイプの広告コンテンツの中からランダムに決定する手法、消化率や優先度に基づいて決定する手法等がある。
【００３７】
また、広告コンテンツタイプ決定部３０７を省略し、広告コンテンツ決定部３０８により、候補となる広告コンテンツのいずれを配信するのが課金額として高くなるかを判断することで、直接に広告コンテンツを決定するようにしてもよい。例えば、ある時間課金型の広告コンテンツの課金額が１秒０．１円、２０秒以上２円であり、あるインプレッション課金型の広告コンテンツの課金額が１回あたり１円であるとする。また、予想表示時間が４４．５秒であるとする。広告コンテンツを更新しない場合、時間課金型の広告コンテンツを配信すれば、２０秒以上の表示が見込めるため、２円の課金額となるが、インプレッション課金型の広告コンテンツを配信すれば１円の課金額となるため、課金額の大きい時間課金型の広告コンテンツに決定する。
【００３８】
２０秒毎に更新し、同じタイプに制限される場合、各タイプにおける複数の広告コンテンツの課金の条件を仮に同じであるとすると、時間課金型の広告コンテンツを配信すれば２＋２＋０．４５＝４．４５円となり、インプレッション課金型の広告コンテンツを配信すれば１＋１＋１＝３円となるため、課金額の大きい３つの時間課金型の広告コンテンツに決定する。
【００３９】
２０秒毎に更新し、同じタイプに制限されない場合、各タイプにおける複数の広告コンテンツの課金の条件を仮に同じであるとすると、最初の２０秒と次の２０秒はインプレッション保証型よりも課金額の大きい２つの時間課金型の広告コンテンツとし、最後の４．５秒は時間課金型よりも課金額の大きい１つのインプレッション保証型に決定する。この場合、２＋２＋１＝５円となる。
【００４０】
広告リンク埋込部３０９は、広告コンテンツ決定部３０８の決定した広告コンテンツへのリンクを、ページ情報生成部３０６が生成したページの広告枠に埋め込む機能を有している。リンクは、例えば、ページ情報／広告情報提供装置３のＵＲＬに広告ＩＤをパラメータとして付加したものとなっている。なお、リンクを埋め込むことに代え、広告コンテンツのデータそのものをページ内に埋め込むようにしてもよい。
【００４１】
ページ送信部３１０は、ページ情報を要求元の端末装置２のブラウザ２１に送信する機能を有している。
【００４２】
広告要求受付部３１１は、端末装置２のブラウザ２１によりページ情報から画面をレンダリングする過程で広告枠に埋め込まれたリンクに基づいて広告コンテンツ要求を受け付ける機能を有している。広告枠に広告コンテンツのデータそのものを埋め込む場合、広告コンテンツ要求は行われない。
【００４３】
広告送信部３１２は、広告要求受付部３１１が広告コンテンツ要求を受け付けた場合に、該当する広告コンテンツのデータを要求元の端末装置２のブラウザ２１に送信する機能を有している。
【００４４】
＜動作：予想表示時間に基づいてタイプを決定する場合＞
図５はこの実施形態の処理例を示すシーケンス図である。
【００４５】
図５において、ページ情報／広告情報提供装置３の広告コンテンツ格納部３０１は、所定のタイミングで、広告主から提供される広告コンテンツにつき、広告ＩＤとタイプとコンテンツデータとを広告ＤＢ３２１に格納する（ステップＳ１０１）。
【００４６】
その後、ユーザの操作により端末装置２のブラウザ２１によりページの閲覧等が行われると（ステップＳ１０２）、ページ情報／広告情報提供装置３の行動履歴格納部３０２は、行動履歴ＤＢ３２２にユーザＩＤと対応付けて行動履歴データを格納する（ステップＳ１０３）。
【００４７】
その後、ページ情報／広告情報提供装置３の予想表示時間算出部３０３は、定期的もしくは所定のタイミングで、行動履歴ＤＢ３２２を参照し、ユーザ毎に行動履歴データに基づき予想表示時間を算出して行動履歴ＤＢ３２２に格納する（ステップＳ１０４）。
【００４８】
その後、端末装置２のブラウザ２１からページ閲覧要求が行われ、ページ情報／広告情報提供装置３のページ要求受付部３０５がそのページ閲覧要求を受け付けると（ステップＳ１０５）、ページ情報／広告情報提供装置３のページ情報生成部３０６は、受け付けたページ閲覧要求に対応するページ情報を生成する（ステップＳ１０６）。
【００４９】
次いで、ページ情報／広告情報提供装置３の広告コンテンツタイプ決定部３０７は、行動履歴ＤＢ３２２から当該ユーザのユーザＩＤをキーにして予想表示時間を参照し（ステップＳ１０７）、インプレッション保証型の広告コンテンツと時間課金型の広告コンテンツのいずれのタイプの広告コンテンツを配信するかを決定する（ステップＳ１０８）。
【００５０】
次いで、ページ情報／広告情報提供装置３の広告コンテンツ決定部３０８は、広告コンテンツタイプ決定部３０７の決定したタイプの広告コンテンツを広告ＤＢ３２１に格納された広告コンテンツの中から決定する（ステップＳ１０９）。
【００５１】
なお、広告コンテンツタイプ決定部３０７を設けない場合、広告コンテンツ決定部３０８は、予想表示時間に基づいて、候補となる広告コンテンツのいずれを配信するのが課金額として高くなるかを判断することで、広告コンテンツを決定する（ステップＳ１０９）。
【００５２】
次いで、ページ情報／広告情報提供装置３の広告リンク埋込部３０９は、広告コンテンツ決定部３０８の決定した広告コンテンツへのリンクを、ページ情報生成部３０６が生成したページの広告枠に埋め込む（ステップＳ１１０）。
【００５３】
次いで、ページ情報／広告情報提供装置３のページ送信部３１０は、ページ情報を要求元の端末装置２のブラウザ２１に送信する（ステップＳ１１１）。
【００５４】
これを受け、端末装置２のブラウザ２１は、ページ情報に基づいてレンダリングを行って画面の表示を行ない（ステップＳ１１２）、その過程で広告枠に埋め込まれたリンクに基づいて広告コンテンツ要求を行なう（ステップＳ１１３）。
【００５５】
この広告コンテンツ要求をページ情報／広告情報提供装置３の広告要求受付部３１１が受け付けると、ページ情報／広告情報提供装置３の広告送信部３１２は、該当する広告コンテンツのデータを要求元の端末装置２のブラウザ２１に送信する（ステップＳ１１４）。なお、ページを表示して、広告枠から広告リクエストのリダイレクトを広告配信サーバが受け取って配信する形態としてもよい。他の動作例についても同様である。
【００５６】
＜動作：広告枠累積課金額と予想表示時間に基づいてタイプを決定する場合＞
図６はこの実施形態の処理例を示すシーケンス図である。
【００５７】
図６において、ページ情報／広告情報提供装置３の広告コンテンツ格納部３０１は、所定のタイミングで、広告主から提供される広告コンテンツにつき、広告ＩＤとタイプとコンテンツデータとを広告ＤＢ３２１に格納する（ステップＳ２０１）。
【００５８】
その後、ユーザの操作により端末装置２のブラウザ２１によりページの閲覧等が行われると（ステップＳ２０２）、ページ情報／広告情報提供装置３の行動履歴格納部３０２は、行動履歴ＤＢ３２２にユーザＩＤと対応付けて行動履歴データを格納する（ステップＳ２０３）。
【００５９】
その後、ページ情報／広告情報提供装置３の予想表示時間算出部３０３は、定期的もしくは所定のタイミングで、行動履歴ＤＢ３２２を参照し、ユーザ毎に行動履歴データに基づき予想表示時間を算出して行動履歴ＤＢ３２２に格納する（ステップＳ２０４）。
【００６０】
その後、端末装置２のブラウザ２１からページ閲覧要求が行われ、ページ情報／広告情報提供装置３のページ要求受付部３０５がそのページ閲覧要求を受け付けると（ステップＳ２０５）、ページ情報／広告情報提供装置３のページ情報生成部３０６は、受け付けたページ閲覧要求に対応するページ情報を生成する（ステップＳ２０６）。
【００６１】
次いで、ページ情報／広告情報提供装置３の広告コンテンツタイプ決定部３０７は、広告枠ＤＢ３２３から当該広告枠の広告枠ＩＤをキーにして広告枠累積課金額を参照する（ステップＳ２０７）。
【００６２】
ここで、所定の累積課金額に達していない場合、ページ情報／広告情報提供装置３の広告コンテンツタイプ決定部３０７は、続く予想表示時間の参照（ステップＳ２０８）は行わず、インプレッション保証型に決定する（ステップＳ２０９）。
【００６３】
また、所定の累積課金額を超えている場合、ページ情報／広告情報提供装置３の広告コンテンツタイプ決定部３０７は、行動履歴ＤＢ３２２から当該ユーザのユーザＩＤをキーにして予想表示時間を参照し（ステップＳ２０８）、インプレッション保証型の広告コンテンツと時間課金型の広告コンテンツのいずれのタイプの広告コンテンツを配信するかを決定する（ステップＳ２０９）。
【００６４】
次いで、ページ情報／広告情報提供装置３の広告コンテンツ決定部３０８は、広告コンテンツタイプ決定部３０７の決定したタイプの広告コンテンツを広告ＤＢ３２１に格納された広告コンテンツの中から決定する（ステップＳ２１０）。
【００６５】
なお、広告コンテンツタイプ決定部３０７を設けない場合、広告コンテンツ決定部３０８は、予想表示時間に基づいて、候補となる広告コンテンツのいずれを配信するのが課金額として高くなるかを判断することで、広告コンテンツを決定する（ステップＳ２１０）。
【００６６】
次いで、ページ情報／広告情報提供装置３の広告リンク埋込部３０９は、広告コンテンツ決定部３０８の決定した広告コンテンツへのリンクを、ページ情報生成部３０６が生成したページの広告枠に埋め込む（ステップＳ２１１）。
【００６７】
次いで、ページ情報／広告情報提供装置３のページ送信部３１０は、ページ情報を要求元の端末装置２のブラウザ２１に送信する（ステップＳ２１２）。
【００６８】
これを受け、端末装置２のブラウザ２１は、ページ情報に基づいてレンダリングを行って画面の表示を行ない（ステップＳ２１３）、その過程で広告枠に埋め込まれたリンクに基づいて広告コンテンツ要求を行なう（ステップＳ２１４）。
【００６９】
この広告コンテンツ要求をページ情報／広告情報提供装置３の広告要求受付部３１１が受け付けると、ページ情報／広告情報提供装置３の広告送信部３１２は、該当する広告コンテンツのデータを要求元の端末装置２のブラウザ２１に送信する（ステップＳ２１５）。
【００７０】
次いで、ページ情報／広告情報提供装置３の広告枠累積課金額管理部３０４は、広告枠への広告コンテンツの表示および表示時間に基づき、広告コンテンツ毎に広告枠ＤＢ３２３の広告枠累積課金額を更新する（ステップＳ２１６）。すなわち、インプレッション保証型の場合は表示１回につき広告ＤＢ３２１の課金単価を広告枠累積課金額に加算し、時間課金型の場合は表示時間に応じて広告ＤＢ３２１の課金単価を広告枠累積課金額に加算する。
【００７１】
＜総括＞
以上説明したように、本実施形態によれば、次のような利点がある。
【００７２】
（１）広告コンテンツのタイプを予想表示時間に基づいて決定することで、時間課金型に向かない場合は表示するだけで課金できるインプレッション保証型とし、時間課金型に向く場合はインプレッション保証型より高額の課金が期待できる時間課金型とすることができ、広告枠毎の課金額を向上させることができる。
【００７３】
（２）広告コンテンツのタイプの決定にあたり、更に広告枠累積課金額を考慮することで、所定の累積課金額に達するまでは表示するだけで課金できるインプレッション保証型とし、累積課金額に達した後は予想表示時間に応じてより高額の課金が期待できる時間課金型とすることができ、広告枠毎の課金額を安定させることができる。
【００７４】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００７５】
１          ネットワーク
２          端末装置
２１        ブラウザ
３          ページ情報／広告情報提供装置
３０１      広告コンテンツ格納部
３０２      行動履歴格納部
３０３      予想表示時間算出部
３０４      広告枠累積課金額管理部
３０５      ページ要求受付部
３０６      ページ情報生成部
３０７      広告コンテンツタイプ決定部
３０８      広告コンテンツ決定部
３０９      広告リンク埋込部
３１０      ページ送信部
３１１      広告要求受付部
３１２      広告送信部
３２１      広告ＤＢ
３２２      行動履歴ＤＢ
３２３      広告枠ＤＢ
【図１】
0005567110.tif 000002
【図２】
0005567110.tif 000003
【図３】
0005567110.tif 000004
【図４】
0005567110.tif 000005
【図５】
0005567110.tif 000006
【図６】
0005567110.tif 000007